(57)【要約】【要  約】【課  題】通常、糖尿病検査においては、尿糖検査、血糖調査、経口ブドウ糖負荷試験等が行われ、このうち通常の血液を用いる検査では、刺針による血液の採取後、通常の臨床分析にかけて血糖値を測定するが、検査毎の刺針は患者にとって非常に苦痛を与えるものであり、感染症の危険を伴うものであり、このため、上記刺針による血液の採取に代えて採血を行わない非浸襲式の血糖値検出装置の開発がなされ、このような装置としては、２つの半導体レーザから放出されたレーザ光を生体の指に照射して、その指を透過してきたレーザ光を受光してその強度に基づいて血糖値を測定することが知られている。【解決手段】本発明は、近赤外線スペクトル測定法を利用して、生体の親指と人刺し指の付け根であるヒダ部を挟持して皮膚組織中のグルコース濃度を測定すると直接的に小さな測定装置で測定が可能なことを見いだし、本発明に係る携帯型血糖値測定装置を提供するものである。【選択図】図３
2007181602.tif 000002
【特許請求の範囲】
【請求項１】
表示窓を有する本体部と、該本体部後端部に装着可能な電源用スイッチと、該本端部の先端部に近赤外線を受・発光する検出機構が一体的に設けられる血糖値測定装置であって、前記検出機構は、発光部後端が本体部と開口用突起部の押脱により基部より上下に開口して生体の親指と人刺し指の付け根であるヒダ部を挟持して皮膚組織中のグルコース濃度を測定する携帯型血糖値測定装置。
【請求項２】
前記本体部は、グルコース濃度を測定する測定部と近赤外線を受・発光する検出機構における生体の表面近傍組織との接触部分の温度を一定とする制御部とを内蔵していることを特徴とする請求項１記載の携帯型血糖値測定装置。
【発明の詳細な説明】
【技術分野】
【０００１】
本発明は、採血を行わない非浸襲式の血糖値検出装置に関し、さらに詳しくは、生体の親指と人刺し指の付け根であるヒダ部を挟持して皮膚組織中のグルコース濃度を測定する携帯型血糖値測定装置に関するものである。  
【背景技術】
【０００２】
従来、我が国では糖尿病患者が増加し、人工比率で約１０％、１３００万人以上が糖尿病であるとされており、このうち９０％以上がインスリン非依存型のII型の糖尿病とされている。
【０００３】
通常、糖尿病検査においては、尿糖検査、血糖調査、経口ブドウ糖負荷試験等が行われ、このうち通常の血液を用いる検査では、刺針による血液の採取後、通常の臨床分析にかけて血糖値を測定するが、検査毎の刺針は患者にとって非常に苦痛を与えるものであり、感染症の危険を伴うものであった。
【０００４】
このため、上記刺針による血液の採取に代えて採血を行わない非浸襲式の血糖値検出装置の開発がなされ、このような装置としては、特開平１０−２５８０３６号「血糖計」には、「波長が異なる２つの半導体レーザから放出されたレーザ光を生体の指に照射して、その指を透過してきたレーザ光を受光してその強度に基づいて血糖値を測定している」ことが開示されている。
【０００５】
また、特開２０００−５１１８５号「光学的血糖値非破壊測定装置」には、「波長0.21〜0.33μｍの紫外光のうちの少なくとも１つの波長の光を人体の一部を収容したハウジングに照射し、人体を透過した光の透過率を検出部で検出して、検出した透過率に基づいて人体のグルコース濃度を算出する」ことが開示されている。
【特許文献１】特開平１０−２５８０３６号公報
【特許文献２】特開２０００−５１１８５号公報
【発明の開示】
【発明が解決しようとする課題】
【０００６】
上記のように従来の血糖値検出装置では、人体のうち、特に指そのものを対象にして、少なくとも１つ以上の波長を透過させて、受光部で受光した強度によってグルコース値を測定しているが、この場合、検出部と、測定装置や制御装置等が分離しており、病院や診療所の様な専門箇所にて測定するのが通常であった為に、患者は、検査の都度測定箇所に出向かなければならないという制限を受けていた。
【０００７】
一方で、血糖コントロールのために薬物を使用している患者にとって、誤って低血糖状態に陥ることは絶対に避けなければ成らないという制限があり、また、この血糖値のコントロールは長期に亘って対応しなければならないために、患者自体が随時、或いは任意に測定できる手段の開発が望まれていた。
【課題を解決するための手段】
【０００８】
本発明者は係る課題を解決するために鋭意研究したところ、近赤外線スペクトル測定法を利用して、生体の親指と人刺し指の付け根であるヒダ部を挟持して皮膚組織中のグルコース濃度を測定すると直接的に小さな測定装置で測定が可能なことを見いだし、本発明に係る携帯型血糖値測定装置を開発することができた。
【０００９】
すなわち本発明の第一は、表示窓を有する本体部と、該本体部後端部に装着可能な電源用スイッチと、該本端部の先端部に近赤外線を受・発光する検出機構が一体的に設けられる血糖値測定装置であって、前記検出機構は、発光部後端が本体部と開口用突起部の押脱により基部より上下に開口して生体の親指と人刺し指の付け根であるヒダ部を挟持して皮膚組織中のグルコース濃度を測定する携帯型血糖値測定装置である。
【００１０】
本発明の第二は、前記本体部は、グルコース濃度を測定する測定部と近赤外線を受・発光する検出機構における生体の表面近傍組織との接触部分の温度を一定とする制御部とを内蔵していることを特徴とする請求項１記載の携帯型血糖値測定装置である。
【発明の効果】
【００１１】
本発明の携帯型血糖値測定装置は小型で携帯型であるために、患者自身が任意に自ら片手で測定でき血糖値の自己管理が可能と成っている。
【００１２】
また該装置は、生体の親指と人刺し指の付け根であるヒダ部を挟持して皮膚組織中のグルコース濃度を測定するため、装置の受・発光基部に設けた開口用突起を操作して発光部に接続する間接部を上下に開口できるために、患者が自分で容易に操作ができるように成っている。
【発明を実施するための最良の形態】
【００１３】
以下、図面を参照して本発明装置を詳細に説明するが、本発明の範囲はこれらに限定されないものである。
【実施例１】
【００１４】
図１及び図２は、本発明装置の外観を示す斜視図である。本発明装置は、先端部に発光部３と受光部４とを有すると共に、表面部に表示窓２を有する計算機本体１と該計算機本体１の後端に電源用スイッチ部５が接続した構造となっている。
【００１５】
図３は、該装置を用いて生体である生体の親指９と人刺し指１０の付け根であるヒダ部を挟持して皮膚組織中のグルコース濃度を測定する状態を説明する説明図である。
【００１６】
図３において、生体である生体の親指９と人刺し指１０の付け根であるヒダ部を挟持する場合、先ず電源用スイッチ部５のオンオフボタン（図示せず）を押して電源を入れ、次いで装置の外側に設置してある開口用突起７を内側に押すと回転軸８及び間接部６を介して発光部３側の先端部が上方に上がり、再度、開口用突起７を内側に押すと発光部３側の先端部が基の位置に下がりながら生体のヒダ部を挟持するように本体内部にスプリングバネ体（図示せず）を設置して移動可能としている。
【００１７】
挟持されると、発光部３及び受光部４に設けたセンサーが測定位置にあることを感知して、測定可能状態になるように設計され、本実施例では、ヒダ部を約２〜３分挟持しながら発光部の半導体レーザ素子から波長が０．７８〜１．３２μｍの範囲のレーザ光を放出する。
【００１８】
本実施例では、グルコース吸収端である０．８９μｍを対象の測定波長として、１．００μｍの近傍を測定波長とすることによって比吸光度の差を求めて血液中のグルコース濃度を求めるように設定している。
【００１９】
上記のように近赤外線を発光してヒダ部を直接透過させ、受光部４の受光素子で透過率を測定し、計算機本体１にて標準値を基にそのデータから血液中のグルコース濃度を測定して、計算されたグルコース値を表示窓２から表示する。
【００２０】
本発明の携帯型血糖値測定装置は、一例として全長が１００ｍｍ、高さが３０ｍｍの大きさを有する長方形体、筒状体であり、材質として硬質樹脂やアルミニウム材の様な軽質な金属を用いると良い。
【００２１】
本発明の携帯型血糖値測定装置は、上述のように片手で簡易に操作できるために測定を希望する患者は、従来の様に専門病院に行って測定を受けることなく任意な時間に自由に測定できるようになっている。
【図面の簡単な説明】
【００２２】
【図１】本発明装置の外観を示す斜視図である。
【図２】本発明装置の別な外観を示す斜視図である。
【図３】本発明装置の使用状況を説明する説明図である。
【符号の説明】
【００２３】
１・・・計算機本体
２・・・表示窓
３・・・発光部
４・・・受光部
５・・・電源用スイッチ部
６・・・間接部
７・・・開口用突起
８・・・回転軸
９・・・生体親指
１０・・生体人指し指
【図１】
2007181602.tif 000003
【図２】
2007181602.tif 000004
【図３】
2007181602.tif 000005